(57)【要約】【課題】施設内部者が外出中であっても来訪者に対する好適なセキュリティ解除を行うことが可能なセキュリティ装置を提供する。【解決手段】セキュリティ装置５０は、来訪者を撮像する撮像装置３１ａから送信された撮像結果を取得する撮像結果取得部５１と、取得された生体情報が施設内部者生体情報記憶部６０ａに記憶された生体情報と一致するか否かに基づいて、来訪者が施設内部者であるか否かを判定する第一の判定部５３と、来訪者が施設内部者ではないと判定された場合に、撮像結果を施設内部者の携帯端末７０へ送信する撮像結果出力部５４と、携帯端末７０から送信されたセキュリティ解除許可信号を取得するセキュリティ解除許可信号取得部５５と、セキュリティ解除許可信号が取得された来訪者の生体情報を来訪者生体情報記憶部６０ｂに記憶させる来訪者生体情報更新部５６と、を備える。【選択図】図２
2010205091.tif 000002
【特許請求の範囲】
【請求項１】
施設のゲートのセキュリティ解除信号を出力するセキュリティ装置であって、
来訪者を撮像する撮像装置から送信された撮像結果を取得する撮像結果取得部と、
来訪者の生体情報を読み取る第一の生体情報読取装置から送信された生体情報を取得する第一の生体情報取得部と、
施設内部者の生体情報が記憶されている施設内部者生体情報記憶部と、
取得された生体情報が前記施設内部者生体情報記憶部に記憶された生体情報と一致するか否かに基づいて、前記来訪者が施設内部者であるか否かを判定する第一の判定部と、
前記来訪者が施設内部者ではないと判定された場合に、前記撮像結果を施設内部者の携帯端末へ送信する撮像結果出力部と、
前記携帯端末から送信された、施設内部者ではない前記来訪者に対するセキュリティ解除許可信号を取得するセキュリティ解除許可信号取得部と、
前記セキュリティ解除許可信号が取得された前記来訪者の生体情報を来訪者生体情報記憶部に記憶させる来訪者生体情報更新部と、
施設のゲートに対応して設けられた第二の生体情報読取装置から送信された生体情報を取得する第二の生体情報取得部と、
前記第二の生体情報取得部から送信された生体情報が、前記セキュリティ解除許可信号が取得された前記来訪者の生体情報であるか否かを判定する第二の判定部と、
前記第二の生体情報取得部から送信された生体情報が、前記セキュリティ解除許可信号が取得された前記来訪者の生体情報であると判定された場合に、前記施設のゲートのセキュリティ解除信号を出力するセキュリティ解除信号出力部と、
を備えることを特徴とするセキュリティ装置。
【請求項２】
前記来訪者生体情報更新部は、前記セキュリティ解除信号出力部が前記セキュリティ解除信号を所定回数出力した場合、又は、前記来訪者生体情報記憶部に前記来訪者の生体情報が記憶されてから所定時間経過した場合に、前記来訪者生体情報記憶部に記憶された前記来訪者の生体情報を削除する
ことを特徴とする請求項１に記載のセキュリティ装置。
【発明の詳細な説明】
【技術分野】
【０００１】
本発明は、施設のゲートのセキュリティ解除を行うセキュリティ装置に関する。
【背景技術】
【０００２】
従来、施設の来訪者に対してセキュリティ解除権を設定する際に、指紋等の生体情報を用いることが行われている。特許文献１に記載された集合住宅用インターホンシステムにおいて、集合住宅の住戸人ではない来訪者が来訪した際には、来訪者は集合玄関機のテンキー及び呼出ボタンを操作して来訪先の集合住宅用居室親機へ連絡する。集合住宅用居室親機への連絡を受けた住戸人は、来訪者の入場を許可する場合には、集合住宅用居室親機の電気錠解錠ボタンを押下する。入場が許可された来訪者は、自身の指紋を指紋読取装置に読み取らせ、その後、集合住宅用インターホンシステムの主制御回路は、読み取られた指紋に基づいて、来訪者は来客であるとみなし、来訪先の集合住宅用居室親機への呼出操作を行う。
【先行技術文献】
【特許文献】
【０００３】
【特許文献１】特開２０００−２８６９７６号公報
【発明の概要】
【発明が解決しようとする課題】
【０００４】
しかしながら、特許文献１に記載の集合住宅用インターホンシステムでは、住戸人すなわち施設内部者が施設内にいない場合には、来訪者は施設内へ入場することができない。すなわち、施設内部者が外出中において来訪者に先に入場してもらいたい場合等には対応することができないという問題があった。
【０００５】
本発明は、前記した問題を解決すべく創案されたものであり、施設内部者が外出中であっても来訪者に対する好適なセキュリティ解除を行うことが可能なセキュリティ装置を提供することを課題とする。
【課題を解決するための手段】
【０００６】
前記課題を解決するため、本発明のセキュリティ装置は、施設のゲートのセキュリティ解除信号を出力するセキュリティ装置であって、来訪者を撮像する撮像装置から送信された撮像結果を取得する撮像結果取得部と、来訪者の生体情報を読み取る第一の生体情報読取装置から送信された生体情報を取得する第一の生体情報取得部と、施設内部者の生体情報が記憶されている施設内部者生体情報記憶部と、取得された生体情報が前記施設内部者生体情報記憶部に記憶された生体情報と一致するか否かに基づいて、前記来訪者が施設内部者であるか否かを判定する第一の判定部と、前記来訪者が施設内部者ではないと判定された場合に、前記撮像結果を施設内部者の携帯端末へ送信する撮像結果出力部と、前記携帯端末から送信された、施設内部者ではない前記来訪者に対するセキュリティ解除許可信号を取得するセキュリティ解除許可信号取得部と、前記セキュリティ解除許可信号が取得された前記来訪者の生体情報を来訪者生体情報記憶部に記憶させる来訪者生体情報更新部と、施設のゲートに対応して設けられた第二の生体情報読取装置から送信された生体情報を取得する第二の生体情報取得部と、前記第二の生体情報取得部から送信された生体情報が、前記セキュリティ解除許可信号が取得された前記来訪者の生体情報であるか否かを判定する第二の判定部と、前記第二の生体情報取得部から送信された生体情報が、前記セキュリティ解除許可信号が取得された前記来訪者の生体情報であると判定された場合に、前記施設のゲートのセキュリティ解除信号を出力するセキュリティ解除信号出力部と、を備えることを特徴とする。
【発明の効果】
【０００７】
本発明によれば、施設内部者が外出中であっても来訪者に対する好適なセキュリティ解除を行うことができる。
【図面の簡単な説明】
【０００８】
【図１】本発明の実施形態に係るセキュリティ装置を備えるセキュリティシステムを模式的に示す図である。
【図２】本発明の実施形態に係るセキュリティ装置を示すブロック図である。
【図３】本発明の実施形態に係るセキュリティ装置の動作例を説明するためのフローチャートである。
【発明を実施するための形態】
【０００９】
以下、本発明の実施形態について、適宜図面を参照しながら説明する。同様の部分には同一符号を付し、重複する説明を省略する。
【００１０】
＜セキュリティシステム＞
図１に示すように、本発明の実施形態に係るセキュリティシステム１は、共用スペースである通路１１と、この通路１１に面する複数の部屋１２（１２Ａ，１２Ｂ）と、を備える施設１０に適用されるシステムである。このセキュリティシステム１は、施設外１０から通路１１への出入口である扉２１と、通路１１から部屋１２Ａへの出入口である扉２２（２２Ａ）と、通路１１から部屋１２Ｂへの出入口である扉２２（２２Ｂ）と、を備える。これらの扉２１，２２Ａ，２２Ｂは、特許請求の範囲における「ゲート」の一例であり、通常時にはヒトの通行を規制するように閉じられており、後記するセキュリティ装置５０から出力されたセキュリティ解除信号に基づいて当該扉２１，２２Ａ，２２Ｂに設けられた電気錠を解錠することによってヒトの通行を許容するように構成されている。なお、本発明におけるゲートは、前記した扉２１，２２Ａ，２２Ｂに限定されず、エレベータ、シャッタ等、セキュリティ解除信号に基づいて制御されてヒトの移動を許容したり規制したりすることができるものであればよい。
【００１１】
また、セキュリティシステム１は、扉２１に対応して施設１０の外側に設けられた撮像装置３１ａ及び入力装置３１ｂを有する施設外インターホン３１をさらに備える。撮像装置３１ａは、来訪者を撮像し、撮像結果である来訪者画像を後記するセキュリティ装置５０へ出力する。入力装置３１ｂは、来訪者が押下した際に来訪信号を出力する来訪ボタンと、来訪者が部屋１２の部屋番号を入力するためのテンキーと、を備える。
【００１２】
また、セキュリティシステム１は、部屋１２Ａに設けられたモニタ３２ａ及び入力装置３２ｂを有する施設内インターホン３２（３２Ａ）と、部屋１２Ｂに設けられたモニタ３２ａ及び入力装置３２ｂを有する施設内インターホン３２（３２Ｂ）と、をさらに備える。モニタ３２ａは、撮像装置３１ａによって撮像された来訪者画像を表示するためものである。入力装置３２ｂは、部屋１２内の居住者が押下した際にセキュリティ解除許可信号をセキュリティ装置５０へ出力する解錠ボタンを備えている。
【００１３】
また、セキュリティシステム１は、複数の生体情報読取装置４１，４２，４３（４３Ａ，４３Ｂ），４４（４４Ａ，４４Ｂ）を備える。生体情報読取装置４１は、扉２１に対応して施設１０の外側の壁面に設けられており、生体情報読取装置４２は、扉２１に対応して通路１１の壁面に設けられており、生体情報読取装置４３（４３Ａ，４３Ｂ）は、扉２２（２２Ａ，２２Ｂ）に対応して通路１１の壁面に設けられており、生体情報読取装置４４（４４Ａ，４４Ｂ）は、扉２２（２２Ａ，２２Ｂ）に対応して部屋１２（１２Ａ，１２Ｂ）の壁面に設けられている。これらの生体情報読取装置４１，４２，４３，４４は、手の指の指紋、静脈パターン等といった来訪者の生体情報を読み取り、読み取られた生体情報をセキュリティ装置５０へ出力する。
【００１４】
また、セキュリティシステム１は、セキュリティ装置５０と、複数の携帯端末７０（６７Ａ，７０Ｂ）と、をさらに備える。セキュリティ装置５０は、施設内部者ではない来訪者に対してセキュリティ解除権を設定するとともに、セキュリティ解除権が設定された来訪者に対して、当該来訪者の生体情報に基づいてセキュリティ解除信号を出力する装置であり、その詳細については後記する。携帯端末７０（７０Ａ，７０Ｂ）は、部屋１２（１２Ａ，１２Ｂ）の居住者（施設内部者）が所有する端末であり、例えば、携帯電話である。これらの携帯端末７０は、インターネット等といったネットワークＮＷを介してセキュリティ装置５０と通信可能に接続されている。
【００１５】
＜セキュリティ装置＞
セキュリティ装置５０は、ＣＰＵ（Central Processing Unit）、ＲＡＭ（Random Access Memory）、ＲＯＭ（Read-Only Memory）、入出力回路等から構成されており、図２に示すように、機能ブロックとして、撮像結果取得部５１と、第一の生体情報取得部５２と、第一の判定部５３と、撮像結果出力部５４と、セキュリティ解除許可信号取得部５５と、来訪者生体情報更新部５６と、第二の生体情報取得部５７と、第二の判定部５８と、セキュリティ解除信号出力部５９と、記憶部６０と、を備える。
【００１６】
ここで、記憶部６０は、施設内部者生体情報記憶部６０ａと、来訪者生体情報記憶部６０ｂと、を備える。施設内部者生体情報記憶部６０ａは、施設内部者の生体情報と、当該施設内部者が居住している部屋１２の部屋番号と、を関連付けて記憶するデータベースであり、来訪者生体情報記憶部６０ｂは、施設内部者ではない来訪者の生体情報と、当該来訪者の来訪先の部屋１２の部屋番号と、を関連付けて記憶するデータベースである。
【００１７】
撮像結果取得部５１は、撮像装置３１ａから出力された撮像結果を取得し、撮像結果出力部５４へ出力する。
【００１８】
第一の生体情報取得部５２は、生体情報読取装置４１から出力された生体情報を取得し、第一の判定部５３へ出力する。
【００１９】
第一の判定部５３は、生体情報読取装置４１から出力された生体情報に基づいて施設内部者生体情報記憶部６０ａを参照することによって、来訪者が施設内部者であるか否かを判定し、判定結果を撮像結果出力部５４へ出力する。より詳細には、第一の判定部５３は、生体情報読取装置４１から出力された生体情報が施設内部者生体情報記憶部６０ａに記憶された生体情報と一致する場合には、来訪者は施設内部者であると判定し、生体情報読取装置４１から出力された生体情報が施設内部者生体情報記憶部６０ａに記憶された生体情報と一致しない場合には、来訪者は施設内部者ではないと判定する。
【００２０】
撮像結果出力部５４は、撮像結果取得部５１によって取得された撮像結果を部屋１２の施設内インターホン３２のモニタ３２ａ、又は、部屋１２の居住者である施設内部者の携帯端末７０へ出力する。より詳細には、撮像結果出力部５４は、第一の判定部５３によって来訪者は施設内部者ではないと判定された場合には、撮像結果をモニタ３２ａへ出力する。その後、一定時間内に施設内インターホン３２からの応答がない場合には、撮像結果出力部５４は、撮像結果を携帯端末７０へ出力する。撮像結果を携帯端末７０へ出力する際には、撮像結果出力部５４は、例えば電子メールに撮像結果を添付することによって出力することができる。
【００２１】
セキュリティ解除許可信号取得部５５は、撮像結果の出力先である施設外インターホン３２の入力装置３２ｂ、又は、携帯端末７０からセキュリティ解除許可信号を取得し、セキュリティ解除許可信号を取得した旨を来訪者生体情報更新部５６へ通知する。携帯端末７０からセキュリティ解除許可信号を取得する際には、例えば、施設内部者は、携帯端末７０に送信された電子メールを携帯端末７０のモニタに表示させ、かかる表示画面におけるＹｅｓボタンを選択して押下することによって、携帯端末７０がセキュリティ解除許可信号を出力することができる。
【００２２】
来訪者生体情報更新部５６は、セキュリティ解除許可信号を取得した旨が通知された場合に、生体情報と（当該生体情報を有する来訪者に対してセキュリティ解除が許可された旨を示す）セキュリティ解除権とを関連付けて来訪者生体情報記憶部６０ｂに記憶させる。
【００２３】
第二の生体情報取得部５７は、施設１０内に設けられた生体情報読取装置４２，４３，４４から出力された生体情報を取得し、第二の判定部５８へ出力する。
【００２４】
第二の判定部５８は、第二の生体情報取得部５７から出力された生体情報に基づいて来訪者生体情報記憶部６０ｂを参照することによって、当該生体情報を有する来訪者に対して扉２１，２２のセキュリティを解除するか否かを判定し、判定結果をセキュリティ解除信号出力部５９へ出力する。より詳細には、第二の判定部５８は、生体情報読取装置４２，４３，４４から出力された生体情報が来訪者生体情報記憶部６０ｂに記憶された生体情報と一致する場合には、来訪者に対して生体情報読取装置４２，４３，４４に対応する扉２１，２２のセキュリティを解除すると判定し、生体情報読取装置４２，４３，４４から出力された生体情報が来訪者生体情報記憶部６０ｂに記憶された生体情報と一致しない場合には、来訪者に対して生体情報読取装置４２，４３，４４に対応する扉２１，２２のセキュリティを解除しないと判定する。
【００２５】
セキュリティ解除信号出力部５９は、第二の判定部５８によってセキュリティを解除すると判定された場合に、対応する扉２１，２２へセキュリティ解除信号を出力する。
【００２６】
＜動作例＞
続いて、本発明の実施形態に係るセキュリティ装置５０の動作例について、図３のフローチャートを参照し、施設内部者ではない来訪者の生体情報を記憶するまでの動作例を中心に説明する（適宜図１及び図２参照）。
【００２７】
施設１０を来訪した来訪者が、施設外インターホン３１の入力装置３１ｂにおける来訪ボタンを押下すると、入力装置３１ｂは、来訪者信号をセキュリティ装置５０の第一の生体情報取得部５２へ出力する。第一の生体情報取得部５２は、来訪者信号を取得し、一定時間、来訪者生体情報の受信待ち状態となる（ステップＳ１）。
【００２８】
ここで、来訪者が、施設１０の入口である扉２１近傍に設けられた生体情報読取装置４１に自身の生体情報を読み取らせると、生体情報読取装置４１は、読み取られた生体情報を第一の生体情報取得部５２へ出力する。
【００２９】
なお、第一の生体情報取得部５２が来訪者信号を取得してから一定時間内に生体情報を取得しなかった場合には（ステップＳ２でＮｏかつステップＳ３でＹｅｓ）、本フローは終了する。
【００３０】
一定時間内に第一の生体情報取得部５２が生体情報を取得すると（ステップＳ２でＹｅｓ）、第一の判定部５３が、施設内部者生体情報記憶部６０ａを参照することによって、生体情報が取得された来訪者が施設内部者であるか否かを判定する（ステップＳ４）。
【００３１】
来訪者が施設内部者である場合には（ステップＳ４でＹｅｓ）、本フローは終了する。この場合には、セキュリティ解除信号出力部５８は、セキュリティ解除信号を扉２１へ出力する。
【００３２】
一方、来訪者が施設内部者ではない場合において（ステップＳ４でＮｏ）、来訪者が入力装置３１ｂのテンキーを操作して来訪先の部屋２２の部屋番号を入力すると、来訪先の部屋２２の施設内インターホン３２が呼び出される。続いて、部屋２２内にいる施設内部者が、呼び出しを受けた施設内インターホン３２を操作すると、施設内インターホン３２が応答信号を出力する。
【００３３】
一定時間内にセキュリティ装置５０が応答信号を取得すると（ステップＳ５でＹｅｓ）、撮像結果取得部５１が撮像装置３１ａによる撮像結果を取得し（ステップＳ７）、撮像結果出力部５４が、撮像結果を施設内インターホン３２のモニタ３２ａへ出力する（ステップＳ８）。
【００３４】
続いて、施設内部者がモニタ３２ａに映された撮像結果すなわち来訪者画像を確認し、施設内インターホン３２の入力装置３２ｂにおける解錠ボタンを押下すると、入力装置３２ｂは、セキュリティ解除許可信号をセキュリティ装置５０のセキュリティ解除許可信号取得部５５へ出力する。
【００３５】
一定時間内にセキュリティ解除許可信号取得部５５がセキュリティ解除許可信号を取得すると（ステップＳ９）、来訪者生体情報更新部５６は、来訪先の部屋番号と来訪者の生体情報とセキュリティ解除権とを関連付けて来訪者生体情報記憶部６０ｂに記憶させる（ステップＳ１１）。
【００３６】
なお、撮像結果出力部５４が撮像結果を出力してから一定時間内にセキュリティ解除許可信号を取得しなかった場合には（ステップＳ９でＮｏかつステップＳ１０でＹｅｓ）、本フローは終了する。
【００３７】
一方、一定時間内にセキュリティ装置５０が応答信号を取得しない場合には（ステップＳ５でＮｏかつステップＳ６でＹｅｓ）、来訪先の施設内部者が部屋１２にいないということなので、撮像結果取得部５１が撮像装置３１ａによる撮像結果を取得し（ステップＳ１２）、撮像結果出力部５４が、撮像結果を施設内部者の携帯端末７０へ出力する（ステップＳ１３）。
【００３８】
続いて、外出中の施設内部者が携帯端末７０のモニタに移された撮像結果すなわち来訪者画像を確認し、携帯端末７０を操作すると、携帯端末７０は、セキュリティ解除許可信号をセキュリティ装置５０のセキュリティ解除許可信号取得部５５へ出力する。
【００３９】
一定時間内にセキュリティ解除許可信号取得部５５がセキュリティ解除許可信号を取得すると（ステップＳ１４）、来訪者生体情報更新部５６は、来訪先の部屋番号と来訪者の生体情報とセキュリティ解除権とを関連付けて来訪者生体情報記憶部６０ｂに記憶させる（ステップＳ１１）。
【００４０】
なお、撮像結果出力部５４が撮像結果を出力してから一定時間内にセキュリティ解除許可信号を取得しなかった場合には（ステップＳ１４でＮｏかつステップＳ１５でＹｅｓ）、本フローは終了する。
【００４１】
ステップＳ１１の実行後、セキュリティ解除信号出力部５９は、扉２１へセキュリティ解除信号を出力する。来訪者は、扉２１を開けて施設１０内に入り、来訪先まで移動する。その際、来訪者は、来訪先までの間に存在する扉２２に対応する生体情報読取装置４３に自身の生体情報を読み取らせ、セキュリティ装置５０は、かかる生体情報と来訪者生体情報記憶部６０ｂに記憶された情報とに基づいて、セキュリティを解除するか否かを判定し、セキュリティ解除動作を行う。来訪者が来訪先から帰る場合には、来訪者は来訪先から施設１０外までの間に存在する扉２１，２２に対応する生体情報読取装置４３に自身の生体情報を読み取らせ、セキュリティ装置５０は、かかる生体情報と来訪者生体情報記憶部６０ｂに記憶された情報とに基づいて、セキュリティを解除するか否かを判定し、セキュリティ解除動作を行う。ここで、記憶部６０には、部屋番号とセキュリティ解除権が付与される扉２１，２２との関係が予め記憶されており、第二の判定部５８は、かかる関係を用いて来訪者が生体情報を読み取らせた生体情報読取装置４２〜４４に対応する扉２１，２２が来訪先に対応するものである場合に、当該扉２１，２２のセキュリティを解除すると判定することができる。
【００４２】
なお、来訪者が来訪先とは関係ない扉２２の生体情報読取装置４３に自身の生体情報を読み取らせた場合には、セキュリティ装置５０は、かかる扉２２に対してセキュリティ解除信号を出力することはない。
【００４３】
ここで、来訪者生体情報更新部５６は、セキュリティ解除信号出力部５９がセキュリティ解除信号を所定回数出力した場合（例えば、生体情報読取装置４１〜４４に対応して各扉２１，２２を１回ずつ）、又は、来訪者生体情報記憶部６０ｂに来訪者の生体情報が記憶されてから所定時間経過した場合に、来訪者生体情報記憶部６０ｂに記憶された来訪者の生体情報を削除する構成であってもよい。この場合には、施設内部者ではない来訪者に対するセキュリティ解除権を一時的なものに制限することができ、施設１０のセキュリティを高めることができる。
【００４４】
本実施形態に係るセキュリティ装置５０は、施設内部者が外出中であっても施設内部者の携帯端末７０へ撮像結果である来訪者画像を出力し、施設内部者が来訪者画像を確認してセキュリティを解除するか否かを決定することができるようにするので、来訪者に対する好適なセキュリティ解除を行うことできる。
【００４５】
以上、本発明の実施形態について説明したが、本発明は前記実施形態に限定されず、本発明の要旨を逸脱しない範囲で適宜設計変更可能である。例えば、施設内部者が外出する際に施設内インターホン３２の入力装置３２ｂを操作することによって、入力装置３２ｂが、施設内部者が外出している旨を通知する信号をセキュリティ装置５０へ出力する構成であってもよい。この場合には、セキュリティ装置５０は、かかる信号を取得している場合には、施設内インターホン３２のモニタ３２ａへ撮像装置３１ａによる撮像結果である来訪者画像を出力することなく、始めから携帯端末へ出力することができる。
【符号の説明】
【００４６】
１      セキュリティシステム
２１，２２，２２Ａ，２２Ｂ  扉（ゲート）
３１ａ  撮像装置
４１    生体情報読取装置（第一の生体情報読取装置）
４２，４３，４３Ａ，４３Ｂ，４４，４４Ａ，４４Ｂ  生体情報読取装置（第二の生体情報読取装置）
５０    セキュリティ装置
５１    撮像結果取得部
５２    第一の生体情報取得部
５３    第一の判定部
５４    撮像結果出力部
５５    セキュリティ解除許可信号取得部
５６    来訪者生体情報更新部
５７    第二の生体情報取得部
５８    第二の判定部
５９    セキュリティ解除信号出力部
６０ａ  施設内部者生体情報記憶部
６０ｂ  来訪者生体情報記憶部
７０，７０Ａ，７０Ｂ  携帯端末
【図１】
2010205091.tif 000003
【図２】
2010205091.tif 000004
【図３】
2010205091.tif 000005